(57)【要約】【課題】使い捨ておむつの股部被覆域でおむつの幅を二等分する中心線に向かって折曲されている体液吸収部の形状を確実に維持することができるパンツ型の使い捨ておむつの提供。【解決手段】パンツ型の使い捨ておむつ１が股部被覆域８を中心に前後胴周り域へ長く延びる体液吸収部３を有する。股部被覆域８において中心線Ａ−Ａに向かって折曲されている吸収部３は、吸収部３の透液性被覆シートが吸収部３の幅方向において吸収部３の内面２３から外面２４へ向かって延びて、外面２４において幅方向外方へ向かって折り返され、その折り返された部位２２ａが股部被覆域８を形成するシートの内面に接合される。【選択図】　　　図３
2004141634.tif 000002
【特許請求の範囲】
【請求項１】
互いに直交する高さ方向と幅方向と前後方向とを有し、前記幅方向を二等分する中心線に関してほぼ対称に形成され、内面側がおむつ着用者の肌と向かい合う一方、外面側が前記着用者の着衣と向かい合い、前記着用者の前胴周り域と後胴周り域と股部とを覆う前胴周り被覆域と後胴周り被覆域と股部被覆域とを形成しているシート材料によって胴周り開口と一対の脚周り開口とを有するパンツ形状が画成され、前記股部被覆域を中心に前記前後胴周り被覆域方向へ長く延びる体液吸収部が前記内面側に形成されているパンツ型の使い捨ておむつにおいて、
前記体液吸収部は吸液性芯材と透液性被覆シートとを有し、前記芯材は前記肌と向かい合う側の内面と前記内面とは反対側の外面と前記内外面につながり前記股部被覆域から前記前後胴周り被覆域方向へ延びる側面とを有し、前記被覆シートは前記芯材における前記内面と側面と外面の一部分とを覆っており、前記股部被覆域における前記体液吸収部には前記高さ方向ヘ並行して延びる側縁部分と側縁部分との間の中央部に始まって前記前胴周り域方向ヘほぼＶ字形を画いて前記側縁部分のそれぞれにまで延びる第１折曲部と、前記後胴周り域方向へほぼＶ字形を画いて前記側縁部分のそれぞれにまで延びる第２折曲部と、前記第１，２折曲部の間において前記幅方向へ延びる第３折曲部とが形成され、前記中心線を挟む前記体液吸収部の両側縁部分それぞれが前記第３折曲部においては前記芯材の外面どうしが向かい合う方向へ、かつ前記第１折曲部と第２折曲部とにおいては前記内面どうしが向かい合う方向へ折曲されており、前記被覆シートが前記外面を覆う部分において、前記芯材の幅方向内側から外側へ向かって折り返されて、その折り返された部位が前記股部被覆域を形成している前記シート材料の内面に接合されていることを特徴とする前記パンツ型の使い捨ておむつ。
【請求項２】
前記芯材の外面は、少なくとも前記被覆シートと、前記被覆シートよりもさらに外側に位置して前記股部被覆域を形成している不透液性シートとで覆われている請求項１記載の使い捨ておむつ。
【請求項３】
前記芯材の外面は、前記被覆シートと、前記被覆シートよりもさらに外側に位置する不織布と、前記不織布よりもさらに外側に位置して前記不透液性シートを形成するプラスチックフィルムと、前記不透液性シートよりもさらに外側に位置する不織布とで覆われている請求項２記載の使い捨ておむつ。
【発明の詳細な説明】
【０００１】
【発明の属する技術分野】
この発明は、パンツ型の使い捨ておむつに関する。
【０００２】
【従来の技術】
特開昭５０−３３０４４号公報（特許文献１）には、図６の折りたたみ型使い捨ておむつ（おしめ）２０１が開示されている。このおむつ２０１は、吸液性パッドと、液透過性内面シート２２２と、液不透過性外面シート２２３とからなる矩形のもので、長辺と直交する横断線２１０ａに沿って半分に畳んである。また、その横断線２１０ａにおける中心点の両側部分がおしめの内方ヘ向かって折り込まれ、ポケット２１８が形成されている。このおむつでは、それを着用させるときに広げてもポケット２１８の形状が崩れないように、折り込まれて互いに向かい合うシート２２３の表面どうしが部分的に接着されている。このようなおむつは、それが矩形のものであっても着用者の股部を覆う部位の幅が狭いから、その部位が股部によく密着して体液の漏れを防止することができる。
【０００３】
実開昭４７−３６７３４号公報（特許文献２）には、矩形帯片からなる折り込みおむつが開示されている。このおむつもまた、おむつの長手方向中央部においておむつの両側縁が内方ヘ折り込まれている。そのようにして得られるおむつの股部は、幅が小さくなって着用者の股部によく密着するので尿の横漏れが少なくなる。
【０００４】
【特許文献１】
特開昭５０−３３０４４号公報
【特許文献２】
実開昭４７−３６７３４号公報
【０００５】
【発明が解決しようとする課題】
特許文献１のおむつでは、折り込まれたシートの表面どうしが接着されることによって、折り込まれた部分におけるシートの形状を維持することができるのであるが、その反面その折り込まれた部分がしなやかに変形して着用者の肌に接触するということが難しくなる場合がある。
【０００６】
また、特許文献２のおむつの場合には、おむつの内方ヘ向かって折り込まれた両側縁がおむつを着用するときに折り込まれる前の状態に戻り易いという傾向がある。
【０００７】
この発明では、体液吸収部の両側縁部分をおむつ内方ヘ向かって折り込んだときに、その折り込んだ部分が前記公知技術のように接着されるか否かにかかわらず、折り込む前の形状に戻ることを阻止することができるように、おむつを改良することが課題である。
【０００８】
【課題を解決するための手段】
前記課題を解決するためにこの発明が対象とするのは、互いに直交する高さ方向と幅方向と前後方向とを有し、前記幅方向を二等分する中心線に関してほぼ対称に形成され、内面側がおむつ着用者の肌と向かい合う一方、外面側が前記着用者の着衣と向かい合い、前記着用者の前胴周り域と後胴周り域と股部とを覆う前胴周り被覆域と後胴周り被覆域と股部被覆域とを形成しているシート材料によって胴周り開口と一対の脚周り開口とを有するパンツ形状が画成され、前記股部被覆域を中心に前記前後胴周り被覆域方向へ長く延びる体液吸収部が前記内面側に形成されているパンツ型の使い捨ておむつである。
【０００９】
かかるおむつにおいて、この発明が特徴とするところは、次のとおりである。前記体液吸収部は、吸液性芯材と透液性被覆シートとを有する。前記芯材は、前記肌と向かい合う内面と前記内面とは反対側の外面と前記内外面につながり前記股部被覆域から前記前後胴周り被覆域方向へ延びる側面とを有する。前記被覆シートは、前記芯材における前記内面と側面と外面の一部分とを覆っている。前記股部被覆域における前記体液吸収部には、前記高さ方向ヘ並行して延びる側縁部分と側縁部分との間の中央部に始まって前記前胴周り域方向ヘほぼＶ字形を画いて前記側縁部分のそれぞれにまで延びる第１折曲部と、前記後胴周り域方向へほぼＶ字形を画いて前記側縁部分のそれぞれにまで延びる第２折曲部と、前記第１，２折曲部の間において前記幅方向へ延びる第３折曲部とが形成され、前記中心線を挟む前記体液吸収部の両側縁部分それぞれが前記第３折曲部においては前記芯材の外面どうしが向かい合う方向へ、かつ前記第１折曲部と第２折曲部とにおいては前記内面どうしが向かい合う方向へ折曲されている。前記被覆シートは、前記外面を覆う部分において、前記芯材の幅方向内側から外側へ向かって折り返されて、その折り返された部位が前記股部被覆域を形成している前記シート材料の内面に接合されている。
【００１０】
この発明には、次のような好ましい実施態様がある。
（１）前記芯材の外面は、少なくとも前記被覆シートと、前記被覆シートよりもさらに外側に位置して前記股部被覆域を形成している不透液性シートとで覆われている。
（２）前記芯材の外面は、前記被覆シートと、前記被覆シートよりもさらに外側に位置する不織布と、前記不織布よりもさらに外側に位置して前記不透液性シートを形成するプラスチックフィルムと、前記不透液性シートよりもさらに外側に位置する不織布とで覆われている。
【００１１】
【発明の実施の形態】
添付の図面を参照して、この発明に係るパンツ型の使い捨ておむつの詳細を説明すると、以下のとおりである。
【００１２】
図１，２，３は、パンツ型の使い捨ておむつ１の斜視図と、図１のおむつ１を部分的に破断して示す概略図と、図１のＩＩＩ−ＩＩＩ線切断面を示す図である。おむつ１は、互いに直交する高さ方向と、幅方向と、前後方向とを有するもので、高さ方向は図１の上下方向であり、前後方向は図１の矢印Ｐ，Ｑで示される方向であり、幅方向は図３の左右方向であって、パンツ型を呈する被覆部２と、体液を貯留するための体液吸収部３とからなる。被覆部２は、不織布やプラスチックフィルム等のシート材料で形成され、おむつ着用者の肌と向かい合う内面２ａ　と、着衣と向かい合う外面２ｂとを有し、その着用者の前後胴周り部と股部とを前胴周り被覆域６と後胴周り被覆域７と股部被覆域８とによって覆うことができる。前後胴周り被覆域６，７は、おむつ１の両側部で合掌状に重なり合い、上下方向へ間欠的に並ぶ部位４で互いに接合され、これら被覆域６，７，８によって胴周り開口９と一対の脚周り開口１１とが画成されている。これら胴周り開口９と脚周り開口１１の縁部それぞれには、複数条の弾性部材１２，１３が伸長状態で取り付けられている。体液吸収部３は、被覆部２の内面２ａの側に位置し、股部被覆域８を中心に前胴周り被覆域６と後胴周り被覆域７とに向かって長く延びており、股部被覆域８では幅が狭くなるように、おむつ１の幅を二等分して高さ方向へ延びる縦中心線Ａ−Ａ（図４を併せて参照）に向かって、すなわちおむつ１の幅方向内方ヘ向かって折曲されている。
【００１３】
図４，５は、図１のおむつ１を接合部位４において剥離し、前後胴周り被覆域６，７をおむつ１の前方向と後方向へ延びる矢印Ｐ，Ｑの方向へ伸展したものの部分破断平面図と、その平面図のＶ−Ｖ線切断面を示す図である。伸展した状態のおむつ１には、縦中心線Ａ−Ａに直交し、図の上下方向の長さを二等分しておむつ１の幅方向へ延びる横中心線Ｂ−Ｂも示されている。図４のおむつ１は、縦中心線Ａ−Ａに関してほぼ対称であり、横中心線Ｂ−Ｂに沿って折り重ねられると図１のおむつ１となる。
【００１４】
被覆部２は、図４，５に示されるように、通気性不織布、より好ましくは疎水性の通気性不織布からなる砂時計型の内部シート１６と、不透液性プラスチックフィルム、より好ましくは通気不透液性プラスチックフィルムかならなっており、吸収部３の平面形状とほぼ同じ大きさの矩形であるかまたはその平面形状よりも大きく、内部シート１６の外側に位置する中間部シート１７と、通気性不織布からなり内部シート１６と同形同大で中間部シート１７の外側に位置する外部シート１８とが積層され、これらシート１６，１７，１８が接着または溶着により互いに間欠的に接合することで形成されている。被覆部２は、内部シート１６と外部シート１８とが不織布であることによって、柔軟な肌触りを有する。内部シート１６と外部シート１８との間に位置する胴周りと脚周りの弾性部材１２，１３は、これらシート１６，１８の少なくとも一方に接着剤（図示せず）を介して接合している。
【００１５】
吸収部３は、芯材２１と被覆シート２２とからなり、図４において縦に長い矩形を呈し、縦中心線Ａ−Ａに並行する一対の側縁部分２６と、側縁部分２６と直交しておむつ１の幅方向へ延びる前後端縁部分２７とを有する。芯材２１は、全体として矩形を呈し、おむつ着用者の肌側に位置する内面２３と、着衣側に位置する外面２４と、内外面２３，２４をつないで縦方向へ延びる両側面４０ａと、前後胴周り被覆域６，７において幅方向へ延びる両端縁部分４０ｂとを有する。芯材２１はまた、横中心線Ｂ−Ｂと一致する鎖線Ｒ（第３折曲部）と、縦中心線Ａ−Ａと横中心線Ｂ−Ｂとが交わる芯材２１の中央部から前胴周り被覆域６方向へほぼＶ字形を画いて両側面４０ａにまで延びる鎖線Ｓ（第１折曲部）と、縦中心線Ａ−Ａと横中心線Ｂ−Ｂとが交わる中央部から後胴周り被覆域７方向へほぼＶ字形を画いて両側面４０ａにまで延びる鎖線Ｔ（第２折曲部）とに沿って延びる溝２０ｒ，２０ｓ，２０ｔ（図５参照）を有し、これらの溝２０ｒ，２０ｓ，２０ｔによって芯材要素２１ａ，２１ｂ，２１ｃ，２１ｄ，２１ｅ，２１ｆに分けられている。溝２０ｒと溝２０ｓとのなす角度はαであり、溝２０ｒと溝２０ｔとがなす角度はβである。図ではαとβの大きさが同じであるが、両者の大きさに差をつけることもできる。股部被覆域８において、吸収部３の幅はその被覆域８の幅よりも狭く、被覆域８の側縁部分８ａは、おむつ１の幅方向において吸収部３の側縁部分２６の外側に脚周り開口１１を一周する脚周りフラップ１１ａを形成している。
【００１６】
各芯材要素２１ａ〜２１ｆは、粉砕パルプや高吸水性ポリマー粒子等の吸水性材料を適宜の力で圧縮することにより、また必要ならば圧縮したものをティシューペーパや親水化処理された熱可塑性合成繊維からなる不織布で覆うことにより形成される。各芯材要素２１ａ〜２１ｆの内面２３またはその内面２３を覆うティシューペーパ（図示せず）等は、被覆シート２２に接着しておくことができる。また、芯材要素２１ａ〜２１ｆの外面２４、またはその外面２４を覆うティシュペーパ等は、内部シート１６等に接着剤２９ａ（図５参照）によって接着しておくことができる。被覆シート２２は、芯材２１の幅方向において内面２３を覆い、側面４０ａを通って外面２４にまで延び、側面４０ａ近傍の外面２４を覆っている。外面２４において、被覆シート２２の両側縁部分２２ａが芯材２１の幅方向外側へ向かって折り返され、その側縁部分２２ａそれぞれが、内部シート１６の内面にホットメルト接着剤２９を介して接着している。被覆シート２２はまた、芯材２１の端縁部分４０ｂを越えて延びる部分がホットメルト接着剤（図示せず）を介して内部シート１６と互いに重なり合うシート２２とに接合している。かような被覆シート２２は、芯材２１の側面４０ａの近傍において、Ｚ字型または逆Ｚ字型に折り畳まれた状態にある（図４，５を併せて参照）。被覆シート２２には、透液性の不織布や開孔プラスチックフィルム、これら不織布とフィルムとの積層シートが使用される。
【００１７】
吸収部３がこのように形成されている図４の状態のおむつ１は、横中心線Ｂ−Ｂに沿って折り重ね、前後胴周り被覆域６，７を接合域４で一体にして図１のおむつ１とするときに、吸収部３における縦中心線Ａ−Ａの両側部分が、図２，３に示されているように縦中心線Ａ−Ａに向かって折曲される。すなわち、吸収部３は、芯材要素２１ｃと２１ｅの外面２４（図５参照）どうしが向かい合い、芯材要素２１ｄと２１ｆの外面２４どうしが向かい合うように溝２０ｒに沿って折曲され、その折曲と同時に、芯材要素２１ａの内面２３と芯材要素２１ｃ，２１ｄそれぞれの内面２３とが向かい合い、芯材要素２１ｂの内面２３と芯材要素２１ｅ，２１ｆそれぞれの内面２３（図４参照）とが向かい合うように溝２０ｓと溝２０ｔとに沿って、吸収部３の前方寄りの部分と後方寄りの部分とにおいて幅方向中央部から側縁部分２６にまでほぼＶ字型を画いて延びるそれぞれの折曲部において折曲される。吸収部３は、溝２０ｒ，２０ｓ，２０ｔにおいて芯材２１が全く存在しないか、僅かに存在する程度の状態にあり、これら溝２０ｒ，２０ｓ，２０ｔではそれらの周辺域よりも剛性が低く、溝２０ｒ，２０ｓ，２０ｔを案内として図２の如く折曲することが容易である。
【００１８】
かくの如き構造を有する図１のパンツ型の使い捨ておむつ１では、股部被覆域８において幅が狭くなるように折曲されていておむつ１の上方へ向いている吸収部３の側縁部分２６と２６（図３参照）とがおむつ着用者の股部によく密着することに加え、上方ヘ向いた側縁部分２６が性器に接近して位置することが可能なので、尿は幅方向へ広がることなく速やかに吸収される。しかも、両側縁部分２６と２６との間の部分は下向きにくぼんだ内側ポケット３０ａ（図３参照）を形成していて着用者の肌に密着することがないから、尿を吸収して湿潤状態にある吸収部３の内面３ａ（図５参照）が広い面積にわたっておむつ着用者の肌に接触して強い湿潤感を与えるということがない。また、体液がこのポケット３０ａに入らずに側縁部分２６の外へ流れても、側縁部分２６の外側にあっておむつ着用者の脚周りにフラップ１１ａとなって密着する股部被覆域８の側縁部分８ａがその排泄物の流れを止めるので、体液がおむつ１の外へ漏れることはない。さらにはまた、図３に示されるように、芯材２１の外面２４が少なくとも側面４０ａの近傍において透液性の被覆シート２２で覆われていると、吸収部３の外へ流れた体液は、吸収部３と側縁部分８ａとの間に形成されている外側ポケット３０ｂ（図３参照）へ流入してその外面２４においても芯材２１に吸収される。ただし、芯材２１は、図示例のように、外面２４の幅方向の少なくとも一部分である例えば幅方向の中央部が内部シート１６を介して不透液性の中間部シート１７で覆われていてもよいものである。
【００１９】
また、このおむつ１では、図３，４，５に示されているように、吸収部３の幅方向において被覆シート２２の側縁部分２２ａが外側へ向かって折り返され、接着剤２９を介して内部シート１６に接合していることによって、芯材２１の溝２０ｒに沿って折曲されている部位が折曲される前の状態に戻ろうとする動き、すなわちおむつ外側へ向かっての動きが抑えられる。おむつ外側へ向かう動きとは、図３に示された矢印Ｙ方向の動きである。側縁部分２２ａが図４の平坦な状態から図３のように湾曲した状態になると、芯材要素２１ｃと２１ｅとが互いに接近する方向へ動き、また芯材要素２１ｄと２１ｆとが互いに接近する方向へ動くことによって、溝２０ｒに沿う部位の矢印Ｙ方向への動きが抑えられるのであろうと考えられる。この動きが抑えられているおむつ１では、股部被覆域８において幅が狭くなるように折曲されている吸収部３が、おむつを着用しているときにもその折曲されている形状の維持が確実になる。
【００２０】
おむつ１を乳幼児に着用させるときには、母親が胴周り開口９の縁部内側に手を入れてその開口９を大きく広げている間に乳幼児の脚を脚周り開口１１に通す。このおむつ１では、そのように開口９を広げるおむつ１の変形が、開口９から遠く離れた股部被覆域８における被覆部２とは別体の吸収部３には及ばないし、脚周り開口１１を広げて股部被覆域８の側縁部分８ａが動いても、吸収部３の側縁部分２６は側縁部分８ａに接合していないから、吸収部３は殆ど動くことがない。それゆえ、幅が狭くなるように折曲されている吸収部３の形状は崩れることがなく、吸収部３の上方へ向いた側縁部分２６は乳幼児の股部によく密着する。かかるパンツ型のおむつ１では、吸収部３の幅が狭くなるように折曲したことの効果がおむつ１の着用後に確実に現われる。この発明では、吸収部３を図２の如く折曲するときに、芯材２１の厚さによっては溝２０ｒを設けることなく、溝２０ｓ、２０ｔだけを設けて図２の如く吸収部３を折曲することも可能である。また、吸収部３の鎖線Ｒ，Ｓ，Ｔに沿う部位または鎖線Ｓ，Ｔに沿う部位をエンボス加工用ロール等によって曲部的に加圧または加熱加圧してそれらの周辺域よりも高剛性にして折曲のための案内とし、その高剛性な部位に並行して吸収部３を折曲してもよい。
【００２１】
【発明の効果】
この発明に係るパンツ型の使い捨ておむつは、体液吸収性の芯材と透液性被覆シートとからなる体液吸収部の両側縁部分それぞれが、芯材の外面側において芯材の幅方向外側へ向かって折り返されていることにより、股部被覆域において体液吸収部が幅を狭くするように芯材の幅方向内側へ向かって折曲されている場合に、その折曲された状態を確実に維持することができる。
【図面の簡単な説明】
【図１】パンツ型の使い捨ておむつの斜視図。
【図２】図１のおむつを部分的に破断したときの概略図。
【図３】図１のＩＩＩ−ＩＩＩ線断面図。
【図４】図１のおむつを伸展した図面。
【図５】図４のＶ−Ｖ線切断面を示す図。
【図６】従来技術のおむつの斜視図。
【符号の説明】
１　　　パンツ型の使い捨ておむつ
３　　　体液吸収部
６　　　前胴周り被覆域
７　　　後胴周り被覆域
８　　　股部被覆域
９　　　胴周り開口
１１　　　脚周り開口
１６　　　シート材料（不織布）
１７　　　シート材料（不透液性シート）
１８　　　シート材料（不織布）
２１　　　芯材
２２　　　被覆シート
２２ａ　　折り返された部位
２３　　　内面
２４　　　外面
２６　　　側縁部分
４０ａ　　側面
Ａ−Ａ　中心線
Ｒ　　　第３折曲部
Ｓ　　　第１折曲部
Ｔ　　　第２折曲部
【図１】
2004141634.tif 000003
【図２】
2004141634.tif 000004
【図３】
2004141634.tif 000005
【図４】
2004141634.tif 000006
【図５】
2004141634.tif 000007
【図６】
2004141634.tif 000008